(57)【特許請求の範囲】
【請求項１】
灯具部と、
前記灯具部に取り付けられたＬＥＤ光源部と、
前記灯具部を収容する筒状の下外筒と、
前記灯具部の上方に設けられる筒状の上外筒と、
前記上外筒の内部に取り付けられた電源装置と、
前記下外筒と前記ＬＥＤ光源部との間に設けられた通気部と、
前記下外筒と前記上外筒との間に設けられた、前記下外筒から外側に空気が流出する流出路と、
前記上外筒の底面に設けられた、前記下外筒からの空気が前記上外筒の内部に流入する流入路と、
前記上外筒の上端に設けられた、空気が抜ける流出口と、
を有し、
前記ＬＥＤ光源部が発した熱により生じた上昇気流の一部は前記通気部を通って前記流出路から前記灯具部の外部へ流出して前記上外筒の外面に沿って上昇し、
前記上昇気流の残部は前記流入路を通って前記上外筒の内部に流入し、前記電源装置の横を通って前記流出口から前記灯具部の外部へ流出するＬＥＤ照明器具。
【請求項２】
請求項１に記載のＬＥＤ照明器具において、
前記灯具部と前記下外筒の間には、前記ＬＥＤ光源部が発する熱を放出する放熱部が前記下外筒と一体的に設けられているＬＥＤ照明器具。
【発明の詳細な説明】
【技術分野】
【０００１】
本発明は、ＬＥＤを光源とするＬＥＤ照明器具に関するものである。
【背景技術】
【０００２】
従来より、ＬＥＤを光源とするＬＥＤ照明器具が知られている（例えば、特許文献１参照）。
図６に示すように、特許文献１に記載の照明器具１００は、例えば天井に埋め込んで使用する。照明器具１００は、使用時において、下方向に光を放射する。
照明器具１００は、全体を覆う筐体１０１、光源素子（ＬＥＤ）１０４を実装する基板１０３、点灯電源を供給する電源回路１０５、電源回路１０５を覆うカバー１０２を有する。
筐体１０１は、背面部１０６の基板１０３より外側に、通気口１０７を有する。前面部１０８には、中央に例えば長方形状の大きな開口を有する。内側部１０９は、基板１０３との間に空気が通る隙間を有する。
【０００３】
点灯時に、光源素子１０４および電源回路１０５が発する熱により気流が発生すると、カバー１０２周辺の空気は、暖められて側面部１１０に沿って上昇する気流となる。側面部１１０に沿って上昇する気流は、基板１０３に当たって向きを変え、基板１０３の表面に沿って横方向に流れる。基板１０３に沿って流れる気流は、光源素子１０４の周囲を通って光源素子１０４を冷却する。光源素子１０４を冷却した気流は、基板１０３と内側部１０９との間の隙間から、筐体１０１のなかに入る。筐体１０１のなかに入った気流は、基板１０３の周囲に廻り込み、通気口１０７を通って、筐体１０１の裏側に排出される。このようにして、放熱する。
【先行技術文献】
【特許文献】
【０００４】
【特許文献１】特開２０１１−１９２４０３号公報（第３図）
【発明の概要】
【発明が解決しようとする課題】
【０００５】
しかしながら、前述したような特許文献１に記載の照明器具１００においては、一般に電源回路１０５が発する熱量は光源素子１０４が発する熱量よりも小さいため、十分な気流が発生せず、十分な放熱が行われない場合があるという問題があった。
【０００６】
本発明は、従来の問題を解決するためになされたもので、十分な放熱効果を有する気流を発生することができるＬＥＤ照明器具を提供することを目的とする。
【課題を解決するための手段】
【０００７】
本発明のＬＥＤ照明器具は、灯具部と、前記灯具部に取り付けられたＬＥＤ光源部と、前記灯具部を収容する筒状の下外筒と、前記灯具部の上方に設けられる筒状の上外筒と、前記上外筒の内部に取り付けられた電源装置と、前記下外筒と前記ＬＥＤ光源部との間に設けられた通気部と、前記下外筒と前記上外筒との間に設けられた、前記下外筒から外側に空気が流出する流出路と、前記上外筒の底面に設けられた、前記下外筒からの空気が前記上外筒の内部に流入する流入路と、前記上外筒の上端に設けられた、空気が抜ける流出口と、を有し、前記ＬＥＤ光源部が発した熱により生じた上昇気流の一部は前記通気部を通って前記流出路から前記灯具部の外部へ流出して前記上外筒の外面に沿って上昇し、前記上昇気流の残部は前記流入路を通って前記上外筒の内部に流入し、前記電源装置の横を通って前記流出口から前記灯具部の外部へ流出するものである。
【０００８】
また、本発明のＬＥＤ照明器具は、前記灯具部と前記下外筒の間には、前記ＬＥＤ光源部が発する熱を放出する放熱部が前記下外筒と一体的に設けられているものである。
【発明の効果】
【０００９】
本発明では、ＬＥＤ光源部が発した熱により生じた上昇気流は、下外筒とＬＥＤ光源部との間に設けられた通気部を通って、下外筒と上外筒との間に設けられた流出路から外側に流出する。また、流入路を通って下外筒から上外筒に空気が流入し、上外筒の上端に設けた流出口から外側に流出する。このため、下外筒に収容されたＬＥＤ光源部および上外筒に収容された電源装置を冷却する空気の流れが容易に発生して、十分な放熱効果を有することができるという効果を有するＬＥＤ照明器具を提供できる。
【図面の簡単な説明】
【００１０】
【図１】（Ａ）は本発明に係る実施形態のＬＥＤ照明器具を縦に切断した断面図であり、（Ｂ）は（Ａ）中Ｂ方向から見た底面図
【図２】本発明に係る実施形態のＬＥＤ照明器具を上方から見た分解斜視図
【図３】本発明に係る実施形態のＬＥＤ照明器具を下方から見た分解斜視図
【図４】本発明に係る実施形態のＬＥＤ照明器具における空気の流れを示す断面図
【図５】本発明に係る実施形態のＬＥＤ照明器具の変形例における空気の流れを示す断面図
【図６】従来の照明器具の断面図
【発明を実施するための形態】
【００１１】
以下、本発明に係る実施形態のＬＥＤ照明器具について、図面を用いて説明する。
図１に示すように、本発明に係る実施形態のＬＥＤ照明器具１０は、被取付部である例えば天井面９０に取り付けて、主に下方を照明するのに用いることができる。
ＬＥＤ照明器具１０は、上下に開口（上開口２１、下開口２２）する円柱形状の下外筒２０と、上方に開口（上開口３１）する上外筒３０を有する。
図２にも示すように、下外筒２０の内部には、下外筒２０の中心軸ＣＬ１を中心として放射状に、複数枚の放熱フィン（放熱部）２３が設けられている。放熱フィン２３は、下外筒２０と一体で設けられている。
【００１２】
図１に示すように、放熱フィン２３の中央部には円筒形状の凹部２４が設けられており、凹部２４には灯具部４０が取り付けられて収容されている。
灯具部４０は、下方に開口（開口部４２）した円筒形状の本体４１を有している。本体４１の外径は、下外筒２０の内径よりも小さく、本体４１と下外筒２０の間には、隙間（通気部）２５が設けられている。この隙間２５は、下外筒２０の上開口２１および下開口２２を連通している。
【００１３】
灯具部４０においては、本体４１の上板４３の下面にＬＥＤ光源部４４が取り付けられている。ＬＥＤ光源部４４は、ＬＥＤ４４１とＬＥＤ４４１が実装される基板４４２を有する。
ＬＥＤ光源部４４の照射方向（図１（Ａ）において下方）には、ＬＥＤ４４１からの光を所定の方向および範囲に反射する反射板４５を有する。反射板４５は、曲面形状（例えば、放物面形状）の反射面４５１を有する。
反射板４５の前方には、透光性のパネル４６が設けられている。パネル４６は、リング形状のパネル押え材４７をねじ４７１で締結することにより、本体４１の前端（下端）に取り付けられる。
【００１４】
図３にも示すように、上外筒３０の底面３２は、外周部の傾斜部３２１と、中央の平坦部３２２を有する。平坦部３２２には、開口（流入路）３２３や貫通孔（流入路）３２４が設けられている。
下外筒２０と上外筒３０との接合は、上外筒３０の底面の中心に設けられているねじ孔（図示省略）と、下外筒２０の放熱フィン２３の中心部２３１（図２参照）とを、ねじ２６で締結することにより行われる。
このとき、上外筒３０の底面３２の外周部には傾斜部３２１が設けられているので、上外筒３０と下外筒２０との間には、円周に沿って開口（流出路）２７が形成される。
【００１５】
図１に示すように、上外筒３０の内部には、電源装置３３が収容される。電源装置３３は、上外筒３０の底面３２に取り付けられており、電源装置３３の上には、取付板３４が取り付けられている（図２参照）。
図２にも示すように、取付板３４は、対向する２辺に沿って曲げ上げて立壁３４１が設けられており、立壁３４１には、水平方向に沿ってスリット３４２が設けられている。立壁３４１と上外筒３０との間には、隙間（流出口）３７が形成されている。
取付板３４の上には、取付金具３５が設けられている。取付金具３５は略角柱形状をしており、側壁３５１からアーム３５２が突設されている。アーム３５２の先端は、上方へＬ字形状に折曲げられて係止部３５３を形成する。
【００１６】
従って、取付金具３５のアーム３５２の係止部３５３を、取付板３４の立壁３４１のスリット３４２に通して係止することにより、上外筒３０に取付金具３５を取り付ける。
取付金具３５の天板３５４には、取付ねじ３６が上方に突出して設けられており、取付ねじ３６を天井面９０に取り付けることにより、ＬＥＤ照明器具１０は天井面９０に取り付けられる。
【００１７】
次に、ＬＥＤ照明器具１０内における空気の流れについて説明する。
図４に示すように、下外筒２０内のＬＥＤ光源部４４が発熱すると、下外筒２０内に上昇気流Ａ１が発生し、これに伴って、下方から下外筒２０に空気Ａ２が流入する（図２参照）。
この空気Ａ２は、下外筒２０の下面において、下外筒２０と灯具部４０との間に設けられている隙間２５から流入する（図２参照）。
【００１８】
上昇気流Ａ１は、一部は放熱フィン２３の間に沿って上昇し、下外筒２０と上外筒３０との間の開口２７から上外筒３０の傾斜部３２１に沿って外部に流出する（Ａ３）。このとき、放熱フィン２３を冷却する。
そして、この上昇気流Ａ３によって、下外筒２０の外面および上外筒３０の外面に沿って上昇気流Ａ６が発生し、上外筒３０を冷却する。
【００１９】
また、上昇気流Ａ１の一部は放熱フィン２３の間に沿って上昇し、上外筒３０の底面３２に設けられている開口３２３および貫通孔３２４から上外筒３０の内部に抜ける（Ａ４）（図３参照）。
さらに、上昇気流Ａ４は、電源装置３３の横を通って、上外筒３０と天井面９０との間の隙間３７から外部に抜ける（Ａ５）。この間に、電源装置３３を冷却する。
【００２０】
以上、説明した本発明に係る実施形態のＬＥＤ照明器具１０によれば、下外筒２０とＬＥＤ光源部４４との間に隙間２５を設け、下外筒２０と上外筒３０との間に下外筒２０から外側に空気が流出する開口２７を設けた。また、下外筒２０から上外筒３０に流入する開口３２３および貫通孔３２４を設け、さらに、上外筒３０の上端に空気が抜ける隙間３７を設けた。
これにより、ＬＥＤ光源部４４が発した熱により生じた上昇気流は、下外筒２０とＬＥＤ光源部４４との間に設けられた隙間２５を通って、下外筒２０と上外筒３０との間に設けられた開口２７から外側に流出する。また、開口３２３および貫通孔３２４を通って下外筒２０から上外筒３０に空気が流入し、上外筒３０の上端に設けた隙間３７から外側に流出する。
このため、下外筒２０に収容されたＬＥＤ光源部４４および上外筒３０に収容された電源装置３３を冷却する空気の流れが容易に発生して、十分な放熱効果を有することができる。
【００２１】
また、灯具部４０と下外筒２０の間には、ＬＥＤ光源部４４が発する熱を放出する放熱フィン２３が一体的に設けられているので、ＬＥＤ光源部４４が発した熱は、放熱フィン２３を介して下外筒２０に伝達されて、放熱される。
【００２２】
なお、本発明のＬＥＤ照明器具は、前述した実施形態に限定されるものでなく、適宜な変形、改良等が可能である。
前述したＬＥＤ照明器具１０においては、複数段の電源装置３３を上外筒３０の底面３２に取り付けた場合を例示した。このほか、図５に示すＬＥＤ照明器具１１ように、電源装置３８の高さが低い場合には、電源装置３３の下側にも空気Ａ７が流れるようにすることができる。
なお、前述ＬＥＤ照明器具１０と共通する部位には同じ符号を付して、重複する説明を省略することとする。
このようにすることにより、一層、放熱効果を向上させることができる。
【符号の説明】
【００２３】
１０、１１  ＬＥＤ照明器具
２０  下外筒
２３  放熱フィン（放熱部）
２５  隙間（通気部）
２７  開口（流出路）
３０  上外筒
３２３  開口部（流入路）
３２４  貫通孔（流入路）
３３  電源装置
３７  隙間（流出口）
４０  灯具部
４４  ＬＥＤ光源部
【図１】
0005933329.tif 000002
【図２】
0005933329.tif 000003
【図３】
0005933329.tif 000004
【図４】
0005933329.tif 000005
【図５】
0005933329.tif 000006
【図６】
0005933329.tif 000007